(57)【要約】【課題】花火会場以外の遠方において当該打上げ花火を観賞することができる地域的な範囲の花火鑑賞者に対して、花火会場における臨場感、雰囲気をＦＭ放送システムを介して放送する花火のプログラム演出システムを提供すること。【解決手段】花火の点火タイミングに連動して、花火の形態に応じた音楽並びに所望の音声を編集し、前記編集した音楽並びに所望の音声をＦＭ波による情報伝達手段を介在して花火が視認可能な範囲の広域的な地域の花火観賞者へＦＭ放送により伝達するようにしてなり、前記情報伝達手段が、ＦＭ局もしくは電波管理局の指定する臨時ＦＭ局（イベント放送局もしくはコミュニティー放送局）あるいはミニＦＭ局等の放送システムを含み、これらのＦＭ局９からのＦＭ放送を受信するＦＭ受信機器１０を含むＦＭを利用した花火プログラム演出システム。【選択図】  図１
2004184042.tif 000002
【特許請求の範囲】
【請求項１】
花火の点火タイミングに連動して、花火の形態に応じた音楽並びに所望の音声を編集し、前記編集した音楽並びに所望の音声をＦＭ波による情報伝達手段を介在して花火が視認可能な範囲の広域的な地域の花火観賞者へＦＭ放送により伝達するようにしたことを特徴とするＦＭを利用した花火のプログラム演出システム。
【請求項２】
前記情報伝達手段が、公共並びに一般のＦＭ局もしくは電波管理局の指定する臨時ＦＭ局（イベント放送局もしくはコミュニティー放送局）あるいはミニＦＭ局等の放送システムを含み、これらのＦＭ局からのＦＭ放送を受信するＦＭ受信機器を含むものからなることを特徴とする請求項１に記載のＦＭを利用した花火のプログラム演出システム。
【請求項３】
前記情報伝達手段が、受信側におけるＦＭ受信機器を含み、前記ＦＭ受信機器が、自動車車輌などに搭載したＦＭ受信機器を含むものからなることを特徴とする請求項１あるいは請求項２に記載のＦＭを利用した花火のプログラム演出システム。
【発明の詳細な説明】
【０００１】
【発明の属する技術分野】
この発明は、花火会場における打上げ花火等に関連して、当該打上げ花火を観賞し得る範囲における遠方の花火観賞者に対して、花火会場の臨場感並びに花火会場の雰囲気を味わい得るよう、且つ、打上げられる花火の形態に応じた趣向性のある音楽、音声などをプログラムして、特に、適宜ＦＭ局からのＦＭ放送システムを介して放送するようにしたＦＭを利用した花火のプログラム演出システムに関するものである。
【０００２】
【従来の技術】
周知のように、打上げ花火、仕掛け花火などによる花火大会は、それぞれが指定された花火会場において行なわれている。このような場合、当該花火会場に出向いて打上げ花火を観賞する観賞者は、花火会場における臨場感並びに花火会場の雰囲気を満喫できる。一方、この打上げ花火は、特定された花火会場から離れた遠方の場所においても観賞することができるという広域的な特異性を有している。この場合、遠方における打上げ花火観賞者は、天空に打ち上げられた花火を視覚的にしか観賞することができず、上記する花火会場の臨場感、花火会場の雰囲気を共有することができないものであった。
【０００３】
一方また、花火大会のイベント性を高めるべく、花火の打ち上げに対応して、音楽などを拡声して奏でる試みが行なわれるようになってきている。しかしながら、この試みは、花火会場におけるものであって、極めて地域的であり、上記する遠方での花火鑑賞者を対象とするものではなかった（特許文献１参照）。
【０００４】
【特許文献１】
特開２０００−２０５７９５号公報（図１および図２）
【０００５】
【発明が解決しようとする課題】
上記する従来の花火コントロールシステムは、花火の動画とこれに同期する音楽を編集できる動画編集ソフトが組み込まれたコンピュータ１と、該コンピュータ１の出力信号により、例えば、ＣＤドライブを作動して音楽を鳴らすスピーカ６と、該コンピュータ１の出力信号により設定された間隔で信号を出力するコントローラ２と、該コントローラ２の出力で花火の点火玉４に電流を供給する電流分配手段３とからなっている。
【０００６】
この花火コントロールシステムは、花火の企画演出、確認及び点火作業を一環して行うようにしたシステムであって、コンピュータの動画編集ソフトにより、花火の動画と音楽を編集し、それにより花火の動画と音楽とを同期させたＶＴＲ等を作成しておけば、花火製作者が自分で確認しながら製作できると共に、花火の顧客等の他人にも見せることができ、顧客の希望も織り込むことも容易にできコンピュータとコントローラによって、花火の点火玉の種別や点火間隔をコントロールすることで、動画編集で設定した通りの花火を音楽と同期して打ち上げることができるというものである。
【０００７】
この従来の花火コントロールシステムは、あくまでもコンピュータとコントローラによって、花火の点火玉の種別や点火間隔をコントロールすることで、動画編集で設定した通りの花火を音楽と同期して打ち上げるためのシステムであり、広域的に鑑賞が可能な打上げ花火等を、花火会場から離れた場所から鑑賞する鑑賞者に対して、花火会場の臨場感を提供するようなものではなかった。
【０００８】
そこで、この発明は、広域的な鑑賞が可能な打上げ花火の特異性に鑑み、花火会場以外の遠方において当該打上げ花火を観賞することができる地域的な範囲内において、それら遠方からの花火鑑賞者に対して、花火会場における臨場感並びに花火会場の雰囲気、さらには、打ち上げられる花火の形態に応じた趣向性のある音楽、音声などをプログラムして、適宜ＦＭ局からのＦＭ放送システムを介して放送するようにした、ＦＭを利用した花火のプログラム演出システムを提供することにある。
【０００９】
【課題を解決するための手段】
この発明は、上記する目的を達成するにあたって、具体的には、花火の点火タイミングに連動して、花火の形態に応じた音楽並びに所望の音声を編集し、前記編集した音楽並びに所望の音声をＦＭ波による情報伝達手段を介在して花火が視認可能な範囲の広域的な地域の花火観賞者へＦＭ放送により伝達するようにしたＦＭを利用した花火のプログラム演出システムを構成するものである。
【００１０】
さらに、この発明は、前記情報伝達手段が、公共並びに一般のＦＭ局もしくは電波管理局の指定する臨時ＦＭ局（イベント放送局もしくはコミュニティー放送局）あるいはミニＦＭ局等の放送システムを含み、これらのＦＭ局からのＦＭ放送を受信するＦＭ受信機器を含むものからなるＦＭを利用した花火のプログラム演出システムを構成するものでもある。
【００１１】
さらにまた、この発明は、前記情報伝達手段が、受信側におけるＦＭ受信機器を含み、前記ＦＭ受信機器が、自動車車輌などに搭載したＦＭ受信機器を含むものからなるＦＭを利用した花火のプログラム演出システムを構成するものでもある。
【００１２】
【発明の実施の形態】
以下、この発明になるＦＭを利用した花火のプログラム演出システムについて、図面に示す具体的な実施例にもとづいて詳細に説明する。図１は、この発明にかかるＦＭを利用した花火のプログラム演出システムの基本的な構成例を示す概略的な説明図である。
【００１３】
まず、この発明では、花火の点火タイミングに連動して、花火の形態に応じた音楽並びに所望の音声を編集し、前記編集した音楽並びに所望の音声をＦＭ波による情報伝達手段を介在して花火が視認可能な範囲の広域的な地域の花火観賞者へＦＭ放送により伝達するように構成してある。その具体的な構成として、上記する情報伝達手段は、公共並びに一般のＦＭ局もしくは電波管理局の指定する臨時ＦＭ局（イベント放送局もしくはコミュニティー放送局）あるいはミニＦＭ局等の放送システムを含み、これらのＦＭ局からのＦＭ放送を受信するＦＭ受信機器を含むものからなっている。
【００１４】
この発明の適用にかかるＦＭ放送局とは、電波管理局の定義によれば、（１）  通常の放送局が運営するＦＭ放送局、（２）  地域を限定したもしくは地方自治体レベルの固定放送局であるコミュニティー放送局、（３）  イベント放送局、（４）  個人レベルの超微弱発信電波放送としてのミニＦＭ放送局に分類されている。このうちで、前記イベント放送局とは、市町村等の自治体の活性化を目的として最長６ケ月までの期間を限度とし、臨時で開局、放送ができるＦＭ放送局であり、発信周波数や出力は、カバーする地域のエリアを条件に電波管理局が指定する調査データを基に決定許可されている。
【００１５】
上記する構成を図１に基づいて説明する。花火会場ＦＧには、例えば、打上げ花火のための複数の点火部１が設営されており、この複数の点火部１に対して、点火をプログラム制御するプログラム演出制御部２が準備されている。前記プログラム演出制御部２は、プログラム演出のためのコンピュータ３と、コンピュータ３に接続され、当該コンピュータ３の出力に基づいて点火部１を制御するコントローラ４とを含むものからなっている。
【００１６】
前記コンピュータ３に対しては、音楽入力手段５、ディスクジョッキー・コマーシャル入力手段６、その他の音情報入力手段７が接続されていると共に、会場内ＦＭ局としての送信部８が接続されている。前記コンピュータ３には、予め、企画された当該花火大会ための打上げ花火の打上げ順序、並びに各打上げ花火の種別・形態（打上げ時の色彩、打上げ時の大きさ、並びに火玉の飛散パターン等）がインプットされている。
【００１７】
この発明では、前記コンピュータ３にインプットされている上記情報に対し、予めプログラムされたて音楽を前記音楽入力手段５により、さらには打上げられる花火のスポンサー等を伝えるコマーシャル等をディスクジョッキー・コマーシャル入力手段６を介して入力する。この場合、上記するディスクジョッキー・コマーシャル入力手段６並びにその他の音情報入力手段７では、花火会場の臨場感を伝えるに適した情報を、打上げ花火の打上げ状況を花火会場で見ながら適宜織り込んで入力することができるようになっている。
【００１８】
この発明では、前記会場内ＦＭ局としての送信部８に加えて、花火会場から離れた部所に、前記送信部８から送信されたＦＭ波を中継する会場外のＦＭ局９を設けておくこともできる。前記会場内ＦＭ局としての送信部８並びに会場外のＦＭ局９からのＦＭ波は、花火会場外にセットした多数のＦＭ受信機器１０によって、打上げ花火が視認可能な地域、図中、Ａ地域並びにＢ地域においてＦＭ受信することができるようになっている。
【００１９】
さらに、この発明では、前記会場内ＦＭ局としての送信部８並びに会場外のＦＭ局９からのＦＭ波は、打上げ花火が視認可能な地域にある自動車車輌１１内において、当該自動車車輌１１に搭載したＦＭ受信機器によってＦＭ受信することができるようにもなっている。
【００２０】
以上の構成になるＦＭを利用した花火のプログラム演出システムを実際に実施するには、概略、以下の手順並びに手続きをもって行われる。
（１）  花火大会を主催するエリアを確定し、電波管理局に運用年月日、時間などを含む許可申請を提出申請する。
（２）  著作権協会（ＪＡＳＲＡＣ）などの音楽使用申請を提出する。
（３）  電波管理局の特定放送局としてのＦＭ放送局（イベント放送局、コミュニティー放送局）を利用する場合、放送局の設置予定場所にての現場確認、調査測定並びに電界調査などの課程を進め、発信周波数、発信出力などの許可を得る。
（４）  花火大会のテーマから、複数ブロックで分けられたブロック別に、音楽の曲を選曲する。
（５）  選曲された音楽に合わせて、仕掛け花火を含む打上げ花火での演出をイメージ作成する。
（６）  選曲された音楽曲の持つイメージに合うよう、並びに、リズムを変更することなく、使用花火の選択から打上げタイミングなどを確定する。
（７）  上記打上げタイミングと花火の選択から、花火（花火筒）への打上げ電機点火するリレー装置のプログラム（シーケンスプログラム）を作成する。
【００２１】
【発明の効果】
以上の構成になるこの発明のＦＭを利用した花火のプログラム演出システムによれば、花火の点火タイミングに連動して、花火の形態に応じた音楽並びに所望の音声をＦＭ波による情報伝達手段を介在して花火が視認可能な範囲の広域的な地域の花火観賞者へＦＭ放送により伝達するようにしたことにより、花火会場に出向くことなく、花火会場の臨場感をリアルタイムで楽しむことができ、その点において極めて有効に作用するものといえる。
【図面の簡単な説明】
【図１】図１は、この発明にかかるＦＭを利用した花火のプログラム演出システムの基本的な構成例を示す概略的な説明図である。
【符号の説明】
ＦＧ  花火会場
１  打上げ花火のための複数の点火部
２  プログラム演出制御部
３  コンピュータ
４  コントローラ
５  音楽入力手段
６  ディスクジョッキー・コマーシャル入力手段
７  その他の音情報入力手段
８  会場内ＦＭ局としての送信部
９  会場外のＦＭ局
１０  ＦＭ受信機器
１１  自動車車輌
【図１】
2004184042.tif 000003